(57)【特許請求の範囲】
【請求項１】
受信機の電源がオフである場合において、デジタル放送受信回路への電源供給が原則的に停止状態にされるデジタル放送受信機であって、
視聴者管理センタに対してユーザが契約形態を変更した場合に、契約形態をユーザが変更したことをデジタル放送受信機に認識させるために、契約形態を変更したことをユーザに入力させるための入力手段、
契約形態を変更したことが入力手段に入力されたことに基づいて、通信回線を介して視聴者管理センタと通信を行なうことにより、新契約形態情報の送信予定時刻データを視聴者管理センタから通信回線を介して取得して記憶装置に記憶する送信予定時刻取得手段、  受信機の電源がオフである場合において、記憶手段に記憶されている送信予定時刻の直前になったときに、デジタル放送受信回路への電源供給をオン状態とさせる手段、および  受信機の電源がオフでありかつデジタル放送受信回路への電源供給がオン状態である場合に、新契約形態情報が受信されてＩＣカードに格納されたときに、デジタル放送受信回路への電源供給を停止状態にさせる手段、
を備えていることを特徴とするデジタル放送受信機。
【請求項２】
デジタルテレビ放送システムにおける視聴者管理センタにおいて、
デジタル放送受信機から通信回線を介して新契約形態情報の送信予定時刻データの問い合わせがあったときに、当該デジタル放送受信機のユーザに対応する新契約形態情報の送信予定時刻データを、当該通信回線を介して当該デジタル放送受信機に送信する手段を備えていることを特徴とするデジタルテレビ放送システムにおける視聴者管理センタ。
【発明の詳細な説明】
【０００１】
【発明の属する技術分野】
この発明は、デジタルテレビ放送受信機およびデジタルテレビ放送システムにおける視聴者管理センタに関する。
【０００２】
【従来の技術】
デジタル放送では、その特性を生かし多チャンネル放送が行われ、有料となるチャンネルが多数含まれ、複数のチャンネルを契約する上で、様々な形態が存在し、ユーザはその契約形態を自由に変更できるようになっている。
【０００３】
新たな契約情報は、ＥＭＭと呼ばれるユーザを特定するため個別情報を含んだデータとして放送事業者側から電波を通じて送信される。受信機では、受信した新たな契約情報をＩＣカードに代表されるような  Ｃｏｎｄｉｔｉｏｎａｌ  Ａｃｃｅｓｓ  部に与えることにより、契約情報が更新される。
【０００４】
ユーザが契約の形態を変更するには、事業者に電話をかけて、契約の変更を申請する。このような契約の変更申請が行なわれた場合には、受信機は、ＥＭＭと呼ばれるデータが電波で送られるまで、電波の受信を絶えず行い、待たなければならない。このＥＭＭデータは、いつ、電波で送信されるかを知る手段が存在しなかった。そのため、ユーザがリモコンなどを用いて電源を切ったとしても、受信機は通常状態と同じ動作を行って、絶えずＥＭＭデータを取得して監視しなければならなかった。そのために、電力の消費を視聴しているときと視聴していないときで、電力の消費量はあまり差がなかった。
【０００５】
なお、最近のデジタルＴＶ放送システムでは受信機が  Ｃｏｎｄｉｔｉｏｎａｌ  Ａｃｃｅｓｓ  部から、ＥＭＭの再送周期を取得して、省電力化を図るものがあるが、ユーザの要求による突発的な契約情報の更新に対してはリアルタイムで処理できないという問題があった。
【０００６】
【発明が解決しようとする課題】
この発明は、電力消費量の低減化が図れるデジタルテレビ放送受信機を提供することを目的とする。
【０００７】
この発明は、デジタルテレビ放送受信機の電力消費量の低減化が図れるようになるデジタルテレビ放送システムにおける視聴者管理センタを提供することを目的とする。
【０００８】
【課題を解決するための手段】
この発明によるデジタル放送受信機は、受信機の電源がオフである場合において、デジタル放送受信回路への電源供給が原則的に停止状態にされるデジタル放送受信機であって、視聴者管理センタに対してユーザが契約形態を変更した場合に、契約形態をユーザが変更したことをデジタル放送受信機に認識させるために、契約形態を変更したことをユーザに入力させるための入力手段、契約形態を変更したことが入力手段に入力されたことに基づいて、通信回線を介して視聴者管理センタと通信を行なうことにより、新契約形態情報の送信予定時刻データを視聴者管理センタから通信回線を介して取得して記憶装置に記憶する送信予定時刻取得手段、  受信機の電源がオフである場合において、記憶手段に記憶されている送信予定時刻の直前になったときに、デジタル放送受信回路への電源供給をオン状態とさせる手段、および  受信機の電源がオフでありかつデジタル放送受信回路への電源供給がオン状態である場合に、新契約形態情報が受信されてＩＣカードに格納されたときに、デジタル放送受信回路への電源供給を停止状態にさせる手段を備えていることを特徴とする。
【０００９】
この発明によるデジタルテレビ放送システムにおける視聴者管理センタは、デジタル放送受信機から通信回線を介して新契約形態情報の送信予定時刻データの問い合わせがあったときに、当該デジタル放送受信機のユーザに対応する新契約形態情報の送信予定時刻データを、当該通信回線を介して当該デジタル放送受信機に送信する手段を備えていることを特徴とする。
【００１２】
【発明の実施の形態】
以下、この発明の実施の形態について説明する。
【００１３】
図１は、デジタルテレビ放送受信機の構成を示している。
【００１４】
放送波は、アンテナを介してチューナ１に送られ、高周波処理および復調が行われる。チューナ１からの出力はトランスポートストリーム分離部（以下、ＴＳ分離部という）２に送られ、パケットの復号が行われる。
【００１５】
ＴＳ分離部２において、パケットは、ＭＰＥＧデータと、番組案内情報、ＥＭＭ等の付属情報とに分別される。ＴＳ分離部２によって分離されたＭＰＥＧ映像データは、映像処理部５に送られる。ＴＳ分離部２によって分離されたＭＰＥＧ音声データは、音声処理部６に送られる。ＴＳ分離部２によって分離された付属情報は、メモリ３に格納される。
【００１６】
第２ＣＰＵ１６には、リモコン送信機１５からのリモコン信号が図示しないリモコン受光器を介して入力される。第２ＣＰＵ１６はメモリ１７を備えている。第２ＣＰＵ１６に入力されたリモコン信号は、第１ＣＰＵ１０に送られる。
【００１７】
第１ＣＰＵ１０は、チューナ１およびＴＳ分離部２に選局のための情報等を送る。また、第１ＣＰＵ１０は、番組案内画面、各種設定画面などをオンスクリーン表示させるためのＯＳＤ制御信号を、オンスクリーン生成部４に送る。オンスクリーン生成部４は、各種設定画面の表示データを生成して、マルチプレクサ７に送る。
【００１８】
第１ＣＰＵ１０は、不揮発性メモリ１４を備えている。また、第１ＣＰＵ１０は、モデム１１を介して電話回線１２に接続されている。
【００１９】
映像処理部５は、ＴＳ分離部２から送られきたＭＰＥＧ映像データを復調して、マルチプレクサ７に送る。マルチプレクサ７は、映像処理部５から出力された映像データにオンスクリーン生成部４から送られてきた表示データをスーパーインポーズ処理して、映像出力端子８に送る。
【００２０】
音声処理部６は、ＴＳ分離部２から送られきたＭＰＥＧ音声データを復調して、音声出力端子９に送る。
【００２１】
第１ＣＰＵ１０は、デジタルテレビ放送の受信の管理、データの取得および管理、映像の提示等を行なう。第２ＣＰＵ１６は、リモコン信号の受信および電源管理を行なう。つまり、第２ＣＰＵ１６は、第１ＣＰＵ１０、チューナ１、ＴＳ分離部２、メモリ３、オンスクリーン生成部４、映像処理部５、音声処理部６、モデム１１等の回路への電源供給を管理している。
【００２２】
この実施の形態では、電源オフ時においても、第２ＣＰＵ１６およびメモリ１７には、電源が供給されている。他の回路は、原則的には、電源オン時には電源が供給されるが、電源オフ時には電源が供給されない。ただし、後述するように、電源オフ時においても、ＥＭＭを取得するための一定時間だけ、第２ＣＰＵ１６およびメモリ１７以外の回路に電源が供給される。
【００２３】
このデジタル放送受信機は、ユーザが放送事業者の視聴者管理センタに対して契約形態の変更手続きを行なった後において、ユーザから入力される契約形態変更通知に基づいて、上記契約形態更新に対応したＥＭＭが送信される時刻を視聴者管理センタから取得する機能を備えている。
【００２４】
また、このデジタル放送受信機は、電源オフ時において、ＥＭＭが送信される時刻を監視し、送信予定時刻になったときに電源を自動的にオンさせてＥＭＭを取得する機能を備えている。
【００２５】
ユーザは先ず、放送事業者の視聴者管理センタに電話などを用いて、口頭あるいは文書によって、契約の変更を申し込む。その後、ユーザは契約を変更したことを受信機に通知する。
【００２６】
図２は、ユーザからの契約形態変更通知に基づいて第１ＣＰＵ１０によって実行されるＥＭＭ送信予定時刻データ取得処理手順を示している。
【００２７】
ユーザからの契約形態変更通知が入力されると（ステップ２１でＹＥＳ）、図３に示すように、予めユーザが登録している暗証番号をユーザに入力させるための暗証番号入力画面が表示される（ステップ２２）。この画面に対してユーザが正常に暗証番号を入力して決定ボタンを押すと（ステップ２３）、図４に示すように、接続許可確認画面が表示される（ステップ２４）。
【００２８】
接続許可確認画面で、ユーザがリモコン１５などを用いて操作を行い、接続許可の指示を行なうと（ステップ２５）、第１ＣＰＵ１０は、モデム１１を動作させて、電話回線１２を通じて、放送事業者の視聴者管理センタにＥＭＭデータの送信時刻の取得を試みる（ステップ２６）。この際、ユーザＩＤが放送事業者の視聴者管理センタに送られる。
【００２９】
受信機からのアクセスが行われた場合、放送事業者の視聴者管理センタでは、送られてきたユーザＩＤに基づいて、当該ユーザとの間で既に行なわれた契約変更の手続きを特定し、当該契約形態変更情報に応じた新契約形態情報を含むＥＭＭの送信予定時刻データをＣＰＵ１０に送信する。
【００３０】
上記ステップ２６で、通信を開始した後、ＥＭＭの送信予定時刻データを受信すると（ステップ２７でＹＥＳ）、受信したＥＭＭの送信予定時刻データを不揮発性メモリ１４に格納する（ステップ２８）。また、受信したＥＭＭの送信予定時刻データを第２ＣＰＵ１６に送る。（ステップ２９）。第２ＣＰＵ１６は、送られてきたＥＭＭの送信予定時刻データをメモリ１７に記憶する。
【００３１】
上記ステップ２３では、図４に示すような接続許可確認画面が表示されているが、契約変更時に視聴者管理センタよりユーザにコードを伝えるようにし、図５に示すように、そのコードを入力させる画面を表示させるようにしてもよい。なお、契約変更時に視聴者管理センタよりユーザに伝えられるコードは、受信機側で生成できるコードが用いられる。
【００３２】
たとえば、コードの内容としては、現在時刻とＩＣカード１３のカードの番号を基に生成されるコードが用いられる。ただし、この場合には、視聴者管理センタからユーザにコードが伝達されてから、一定時刻以内に、ユーザは契約形態変更通知指令が入力する必要がある。
【００３３】
図５のコード入力画面上でユーザがコードを入力した場合には、第１ＣＰＵ１０は、コードを生成して、生成したコードとユーザが入力したコードとが一致するか否かを判定し、一致した場合にのみ、ステップ２５に進む。
【００３４】
図６は、第１ＣＰＵ１０に電源が供給されている場合に第１ＣＰＵ１０によって行なわれるＥＭＭ取得処理手順を示している。
【００３５】
第１ＣＰＵ１０は、電源が供給されている場合には、不揮発性メモリ１４に格納されているＥＭＭ送信予定時刻の直前になったか否かを監視する（ステップ３１）。ＥＭＭ送信予定時刻の直前になった場合には、ＴＳ分離部２にＥＭＭ取得指令を送信するとともに、ＥＭＭ取得動作中であることを記憶するための第１フラグＦ１をセット（Ｆ１＝１）する（ステップ３２）。ＴＳ分離部２は、この指令を受信すると、ＥＭＭを取得するための処理を行う。
【００３６】
ＴＳ分離部２からＥＭＭが送られると、つまり、ＥＭＭを取得できた場合には（ステップ３３でＹＥＳ）、取得したＥＭＭをＩＣカード１３に格納する（ステップ３４）。これにより、ＩＣカード１３に記憶されている契約形態情報が新契約形態情報に更新される。この後、契約形態情報の変更が完了したことを第２ＣＰＵ１６に通知するとともにＥＭＭ取得動作中であることを記憶するための第１フラグＦ１をリセット（Ｆ１＝０）する（ステップ３５）。
【００３７】
図７は、第２ＣＰＵ１６によって行なわれる電源管理処理手順を示している。
【００３８】
第２ＣＰＵ１６は、第２ＣＰＵ１６およびメモリ１７以外の回路（以下、他の回路という）に電源が供給されていない状態においては、リモコンからの電源オン指令が入力されたか否か（ステップ４１）、および現在時刻がメモリ１７に保持されているＥＭＭ送信予定時刻の直前になったか否か（ステップ４３）を監視する。
【００３９】
リモコンからの電源オン指令が入力された場合（ステップ４１でＹＥＳ）または現在時刻がＥＭＭ送信予定時刻の直前になった場合（ステップ４３でＹＥＳ）には、他の回路に電源を供給させる（ステップ４４）。ただし、リモコンからの電源オン指令が入力された場合（ステップ４１でＹＥＳ）には、リモコン指令に基づく電源供給であることを記憶するための第２フラグＦ２がセット（Ｆ２＝１）されてから（ステップ４２）、他の回路に電源を供給させる（ステップ４４）。
【００４０】
他の回路に電源が供給されている状態においては、第２ＣＰＵ１６は、リモコンからの電源オフ指令が入力されたか否か（ステップ４５）、および契約形態情報の変更が完了したことが第１ＣＰＵ１０から通知されたか否か（ステップ４８）を監視する。
【００４１】
リモコンからの電源オフ指令が入力された場合（ステップ４５でＹＥＳ）には、第２フラグＦ２をリセット（Ｆ２＝０）にさせた後（ステップ４６）、第１フラグＦ１がセットされているか否かを判定する（ステップ４７）。第１フラグＦ１がセットされていない場合（Ｆ１＝０）には、他の回路への電源の供給を停止させる（ステップ５０）。そして、ステップ４１に戻る。
【００４２】
上記ステップ４７で、第１フラグＦ１がセットされている場合（Ｆ１＝１）には、ＥＭＭ取得動作中であると判断し、他の回路への電源の供給を停止させることなく、ステップ４８に移行する。
【００４３】
契約形態情報の変更が完了したことが第１ＣＰＵ１０から通知された場合（ステップ４８でＹＥＳ）には、第２フラグＦ２がリセットされているか否かを判定する（ステップ４９）。第２フラグＦ２がリセットされている場合には（Ｆ２＝０）、リモコン指令による電源オン状態ではないので、他の回路への電源の供給を停止させる（ステップ５０）。そして、ステップ４１に戻る。
【００４４】
上記ステップ４９で、第２フラグＦ２がセットされている場合（Ｆ２＝１）には、リモコン指令による電源オン状態が継続していると判定し、他の回路への電源の供給を停止させることなく、ステップ４１に戻る。
【００４５】
なお、受信機の電源がオフであり、他の回路に電源が供給されていない状態において、現在時刻がメモリ１７に保持されているＥＭＭ送信予定時刻の直前になったときには、他の回路全体に電源を供給するのではなく、ＥＭＭを受信してＩＣカード１３に格納するのに必要な受信回路（この例では、第１ＣＰＵ１０、チューナ１、ＴＳ分離部２、メモリ３およびＩＣカード１３）のみに電源を供給するようにしてもよい。
【００４６】
上記実施の形態によれば、ユーザが視聴者管理センタに対して電話による契約形態の変更を行ったことを、ユーザが受信機に入力することによって、受信機がそのこと確認することができるようになる。
【００４７】
そして、受信機は、ユーザが契約形態の変更を行ったことを確認したときに、視聴者管理センタとの双方向通信によって、新契約形態情報を含むＥＭＭがいつ電波によって送信されるかの情報を取得できるようになる。そして、電源オフ時においては、ＥＭＭが送信される時間の間だけＥＭＭを取得するための回路の電源をオンさせることができるので、電力の消費量を抑えることができる。
【００４８】
【発明の効果】
この発明によれば、電力消費量の低減化が図れるようになる。
【図面の簡単な説明】
【図１】デジタルテレビ放送受信機の構成を示すブロック図である。
【図２】ユーザからの契約形態変更通知に基づいて第１ＣＰＵ１０によって実行されるＥＭＭ送信予定時刻データ取得処理手順を示すフローチャートである。
【図３】図２のステップ２２において表示される暗証番号入力画面の例を示す模式図である。
【図４】図２のステップ２３において表示される接続許可確認画面の例を示す模式図である。
【図５】コード入力画面の例を示す模式図である。
【図６】第１ＣＰＵ１０に電源が供給されている場合に第１ＣＰＵ１０によって行なわれるＥＭＭ取得処理手順を示すフローチャートである。
【図７】第２ＣＰＵ１６によって行なわれる電源管理処理手順を示すフローチャートである。
【符号の説明】
１  チューナ
２  ＴＳ分離部
３  メモリ
４  オンスクリーン生成部
１０  第１ＣＰＵ
１１  モデム
１３  ＩＣカード
１４  不揮発性メモリ
１５  リモコン
１６  第２ＣＰＵ
１７  メモリ
【図１】
0003594535.tif 000002
【図２】
0003594535.tif 000003
【図３】
0003594535.tif 000004
【図４】
0003594535.tif 000005
【図５】
0003594535.tif 000006
【図６】
0003594535.tif 000007
【図７】
0003594535.tif 000008